(57)【要約】【目的】この発明はトイレや洗面所などの床面に設置される水封防臭式ワントラップ型排水機構における、悪臭の逆流や虫の潜入など、特に環境的に不潔になりやすい汚染箇所の環境向上を目的とし、水封防臭式ワントラップの水が減少し防臭、防虫機能が無くなる前に補充液を自動的に供給する防臭ワン上にセットするワントラップの液体補充容器に関するものである。【構成】トイレや洗面所などの床面などに設置される水封防臭式ワントラップの防臭ワン５の上に被せてセットするワントラップの液体補充容器であり、上面と底面を凸形ワン状とし外周は防臭ワン５とほぼ同程度の形状とした筒状で、防臭ワン５と目皿７の間に入る厚みの液入れ容器１で、その側部より垂直に液補充用の液供給路３を、防臭ワン５にセットした際に防臭ワン５の下端より若干上位置に液供給路３の液排出口４がくる構造として、液入れ容器１の上面に液注入口とその密閉蓋２を有した構成である。【選択図】　図１
2004132153.tif 000002
【特許請求の範囲】
【請求項１】
トイレや洗面所などの床面などに設置される水封防臭式ワントラップの防臭ワン５の上に被せてセットするワントラップの液体補充容器であり、液入れ容器１の外周形状は防臭ワン５とほぼ同程度のワン型筒状で、防臭ワン５と目皿７の間に入る厚みとし、その液入れ容器１の側部より下方に液補充用の液供給路３を防臭ワン５にセットした際に防臭ワン５の下端より若干上位置に液供給路３の液排出口４がくる構造として、液入れ容器１の上面に液体注入口とその密閉蓋２を有した基本構成のワントラップの液体補充容器。
【請求項２】
液入れ容器１の構造をドーナツ型として、その側部より下方に液補充用の液供給路３を有して、液入れ容器１の上面に液体注入口とその密閉蓋２を有した構成の請求項１のワントラップの液体補充容器。
【発明の詳細な説明】
【０００１】
【発明の属する技術分野】
この発明はトイレや洗面所などの床面に設置される水封防臭式ワントラップ型排水機構における、悪臭の逆流や虫の潜入など、特に環境的に不潔になりやすい汚染箇所の環境向上を目的とし、水封防臭式ワントラップの水が減少し防臭、防虫機能が無くなる前に補充液を自動的に供給して補充するワントラップの液体補充容器に関するものである。
【０００２】
【従来の技術】
従来、トイレや洗面所などの床面に設置される水封防臭式ワントラップ型排水機構は、環境的や作用的や管理的に問題が発生した場合の補助的安全保持機構などは施されておらず、特にワントラップの防臭や防虫機能の安全に関する補助機構的技術は開発されていなかった。
【０００３】
【発明が解決しようとする課題】
従来のトイレや洗面所の水封防臭式ワントラップ型排水機構は補助的安全保持機構が施されていないため次の課題があった。
（イ）ワントラップ排水機構は水封防臭方式であるため、水が無くなった場合には防臭機能や防虫機能を果たさなくなり、特にトラップ皿の水溜部は上部が開口しており蒸発による乾燥を促進させるし、また水溜まり域のトラップ皿は構造的にもゴミなどの汚れが溜まりやすい部分であり、床面のゴミなどの異物が集積蓄積され溜まり水量を減少させており、乾燥作用により拍車をかけることになり水封防臭式の最大の問題であった。
（ロ）水封式ワントラップ排水口の機構や作用などを理解する人も少なく、水の補給を滞るなどの人的、管理的問題も多かった。
【０００４】
【問題を解決するための手段】
いまその課題を解決するための構成を図面により説明すれば、
（イ）トイレや洗面所などの床面などに設置される水封防臭式ワントラップの防臭ワン５の上に被せてセットするワントラップの液体補充容器であり、上面と底面を凸形ワン状とし外周は防臭ワン５とほぼ同程度の形状とした筒状で、防臭ワン５と目皿７の間に入る厚みの液入れ容器１で、その側部より垂直に液補充用の液供給路３を、防臭ワン５にセットした際に防臭ワン５の下端より若干上位置に液供給路３の液排出口４がくる構造として、液入れ容器１の上面に液注入口とその密閉蓋２を有した構成である。
（ロ）液入れ容器１の構造をドーナツ型として、その側部より垂直に液補充用の液供給路３を有して、液入れ容器１の上面に液体注入口とその密閉蓋２を有した構成の場合もある。
（ハ）液供給路３の内径は、液排出口４がトラップ皿６の水中に位置する場合にはその水圧で液入れ容器１内の液が下降して排出されず保持できるし、水量が減少して液排出口４が水中より脱した場合には空気圧では保持できずトラップ皿６に液を排出して補充し水封作用を可能とするサイズである。
（ニ）液供給路３の厚みはトラップ皿６と防臭ワン５の間隔を配慮した薄型寸法とする。
（ホ）補充液は水でもよいが、できれば芳香液や消臭液などとする。
【０００５】
【作用】
次に本発明の作用を述べると、
（イ）防臭ワン５の上面に液入れ容器１をセットして密閉蓋２を開けて液を入れ密閉蓋２を閉じます、液入れ容器１の底面は凸形のワン状やドーナツ状であるためワン状の防臭ワン５上へ安定状態でセットする作用である。
（ロ）トイレなどの床面の清掃などで水洗いした水やゴミなどの異物は目皿７を通って液入れ容器１よりトラップ皿６に溜まり、溢れる水は排水口から排水される作用であるため、水封用の水はトラップ皿６の下部に溜まり防臭や防虫の作用をなす従来からの作用である。
（ハ）トラップ皿６の水が気化作用などにより減少し液供給路３下端の液排出口４が大気に露出すると液体の保持力が失われて液入れ容器１の液体は液供給路３下端の液排出口４から排出してトラップ皿６の水を補充し水封機能を保持する作用である。
（ニ）液入れ容器１の液体の補充は定期的に行うことも可能であり、密閉蓋２を開けて液注入口から液を補充する作用であるし、液入れ容器１に液を入れ密閉蓋２を閉めることにより液供給路３下端の液排出口４がトラップ皿６の水中にある場合は水圧により液が液排出口４から排出されず液入れ容器１内に保持されるし、トラップ皿６の水が減少して液排出口４が水中から脱すると液入れ容器１内の液が液供給路３を通って下端の液排出口４からトラップ皿６へ排出されて液を自動的に補充し水封機能を果たす作用である。
（ホ）液入れ容器１の液体は芳香液や消臭液などとして、芳香液を入れれば液の補充時点で香を漂わせて快適な環境を提供できますし、また水封用の水が減っていることを知らせる警報的作用もなすものである。
【０００６】
【発明の実施の形態】
具体実施例を述べる、
（イ）液入れ容器１に接続する液供給路３を管やホースとする。
（ロ）液供給路３を複数有する構成とする。
（ハ）液供給路３をらせん状の構造として防臭ワン５を巻いた状態の構成とする。
（ニ）既存ワントラップの防臭ワンにセットして使用する。
【０００７】
【発明の効果】
水封用液の自動補充による防臭、防虫作用により、より安全で快適な環境を保持できます。
具体的効果を列記すれば、
（イ）従来のワントラップ排水機構は構造的にも乾燥しやすいし、ゴミなどの異物が溜まりやすい構造であるため水封式防臭、防虫機構としては未だ不十分であったが、ワントラップの液体補充容器により水封用の液を自動的に補充する構成であり水封式防臭、防虫効果を高めて、環境の安全性の向上に寄与します。
（ロ）液入れ容器１の液体を芳香液などとすれば液の供給時点で香が漂い快適な環境を提供できますし、またその香により水封用の水が減っていることを知らせる警報的効果もなすものであります。
（ハ）液入れ容器１は既存のワントラップに容易にセット出来るため活用範囲が広く有効に作用します。
【０００８】
トイレや洗面所などの環境的に汚染されやすい場所において、水封用液の自動補充による防臭、防虫作用により、より快適な環境を保持でき安全機構を確立できるため、汚れやすい場所の生活環境を向上させ、清潔感のある明るく楽しい社会づくりに大きく貢献するものであります。
【図面の簡単説明】
【図１】本発明のワントラップの液体補充容器の斜視図
【図２】本発明のワントラップの液体補充容器の中央断面図
【符号の説明】
１は液入れ容器
２は密閉蓋
３は液供給路
４は液排出口
５は防臭ワン
６はトラップ皿
【図１】
2004132153.tif 000003
【図２】
2004132153.tif 000004